(57)【要約】【課題】自動販売機本体の軽量化を図りつつ必要な剛性を確保することが可能な自動販売機を提供する。【解決手段】自動販売機１００の底板部７は、上底板１６と、上底板１６の各端部のうちの少なくとも一端部に一体形成され、該一端部の延伸方向に延びると共に閉断面構造を有する閉断面構造部Ｚと、を有し、複数の脚取付け部１３のうちの少なくとも一部は閉断面構造部Ｚに設けられている。また、底板部７は、上底板１６と、下底板１７と、上底板１６の端部に一体形成される開断面構造部Ｗと、下底板１７の端部のうちの少なくとも一端部にこの下底板１７と一体形成され該一端部の延伸方向に延びると共に屈曲形成されてなる屈曲部と、を有し、開断面構造部Ｗの屈曲部と、該屈曲部に隣接する下底板１７の屈曲部とを結合させてなる閉断面構造部Ｚを含んで構成されてもよい。【選択図】図８
2017091312.tif 000002
【特許請求の範囲】
【請求項１】
販売商品を収納する自動販売機本体を備え、該自動販売機本体の下端に位置する鋼板製の底板部の四隅部に脚取付け部がそれぞれ設けられ、該脚取付け部に取付けられる脚部を介して設置面上に立設される自動販売機であって、
前記底板部は、
平面視で矩形状に形成される上底板と、
前記上底板の各端部のうちの少なくとも一端部に一体形成され、該一端部の延伸方向に延びると共に閉断面構造を有する閉断面構造部と、
を有し、
複数の前記脚取付け部のうちの少なくとも一部は、前記閉断面構造部に設けられている、自動販売機。
【請求項２】
前記自動販売機本体は、その前面が開口形成され、
前記自動販売機本体の前面開口を開閉する外扉を更に備え、
前記閉断面構造部が一体形成される前記上底板の各端部のうちの少なくとも一端部は、前記前面開口を閉じた状態の前記外扉が位置する一端部を含む、請求項１に記載の自動販売機。
【請求項３】
前記自動販売機本体は、その前面が開口形成され、
前記自動販売機本体の前面開口を開閉する外扉を更に備え、
前記閉断面構造部が一体形成される前記上底板の各端部のうちの少なくとも一端部は、前記前面開口を閉じた状態の前記外扉が位置する一端部と直交する一端部を含む、請求項１に記載の自動販売機。
【請求項４】
前記上底板は、前記四隅部に上下方向に貫通する貫通孔部を有し、
前記脚取付け部は、前記貫通孔部に下方から挿通されている、請求項１〜３のいずれか一つに記載の自動販売機。
【請求項５】
前記底板部は、前記上底板の下面側に結合される上底板補強用の下底板を更に備える、請求項１〜４のいずれか一つに記載の自動販売機。
【請求項６】
販売商品を収納する自動販売機本体を備え、該自動販売機本体の下端に位置する鋼板製の底板部の四隅部に脚取付け部がそれぞれ設けられ、該脚取付け部に取付けられる脚部を介して設置面上に立設される自動販売機であって、
前記底板部は、
平面視で矩形状に形成される上底板と、
前記上底板の下面側に結合される上底板補強用の下底板と、
前記上底板の各端部のうちの少なくとも一端部に一体形成され、該一端部の延伸方向に延びると共に屈曲形成されてなる開断面構造を有する開断面構造部と、
前記下底板の各端部のうちの前記開断面構造部と隣接する少なくとも一端部に一体形成され、該一端部の延伸方向に延びると共に屈曲形成されてなる屈曲部と、
を有し、前記開断面構造部の屈曲部と、該屈曲部に隣接する前記下底板の前記屈曲部とを結合させてなる閉断面構造部を含み、
複数の前記脚取付け部のうちの少なくとも一部は、前記閉断面構造部に設けられている、自動販売機。
【発明の詳細な説明】
【技術分野】
【０００１】
本発明は、販売商品を収納する自動販売機本体を備える自動販売機に関する。
【背景技術】
【０００２】
この種の自動販売機としては、特許文献１に記載された自動販売機が知られている。特許文献１に記載された自動販売機は、前面が開口された筐体（箱体）となる自動販売機本体を備えている。この自動販売機本体は、鋼板製の部材が適宜に組み合わされることにより構成され、その内部が収納室と機械室とに区画されている。この収納室は機械室の上方に位置し販売商品を収納する商品収納ラック等を設置するためのスペースとなり、機械室は収納室の温度を調整するための機器等を設置するためのスペースとなる。そして、この自動販売機本体の下端部となる平面視で矩形状の底板部の四隅には、ボルト等からなる脚部が取付けられ、自動販売機は、この脚部を介して設置面上に立設されるように構成されている。この底板部としては、例えば、鋼板を板金加工等して形成される上底板のみで構成されるものや、この上底板の下面側に、鋼板を板金加工等して形成される下底板を結合させて、上底板と下底板とで構成されるものがある。
【先行技術文献】
【特許文献】
【０００３】
【特許文献１】特開２００６−３３１２５３号公報
【発明の概要】
【発明が解決しようとする課題】
【０００４】
ところで、この種の自動販売機において、自動販売機本体内（収納室や機械室）には、商品収納ラックや温度調整ユニット等の各種機器が収容される上、自動販売機本体の前面開口側には外扉が取付けられる。したがって、筐体としての自動販売機本体には、収容物（上記各種機器）及び外扉の荷重による曲げ応力やせん断応力等に耐え得る強度が要求される。そして、自動販売機本体の下端に位置する鋼板製の底板部には、上記収容物や外扉の荷重に加えて、自動販売機本体を構成する底板部以外の部材（天板部、側板部、背板部等）の荷重が作用する。その上、この底板部における脚部が取付けられる部分（脚部取付け部）には、脚部を介して自動販売機全体の荷重に対する設置面からの反力が作用する。このため、特に底板部には、高い強度が要求されている。その結果、底板部用の鋼板としては、比較的に厚板のものが用いられており、底板部は比較的重くなっている。
【０００５】
しかしながら、この種の自動販売機においては、上記のように高強度の底板部が求められているところ、自動販売機の組立、運搬及び設置作業等における作業性の観点からは、軽量化も求められており、底板部の軽量化にあたって、底板部の構造についての工夫が求められている。
【０００６】
そこで、本発明は、このような実状に鑑み、自動販売機本体（底板部）の軽量化を図りつつ必要な強度を確保することが可能な自動販売機を提供することを目的とする。
【課題を解決するための手段】
【０００７】
本発明の一側面によると、販売商品を収納する自動販売機本体を備え、該自動販売機本体の下端に位置する鋼板製の底板部の四隅部に脚取付け部がそれぞれ設けられ、該脚取付け部に取付けられる脚部を介して設置面上に立設される自動販売機であって、前記底板部は、平面視で矩形状に形成される上底板と、前記上底板の各端部のうちの少なくとも一端部に一体形成され、該一端部の延伸方向に延びると共に閉断面構造を有する閉断面構造部と、を有し、複数の前記脚取付け部のうちの少なくとも一部は、前記閉断面構造部に設けられている構成とした。
【０００８】
本発明の別の側面によると、販売商品を収納する自動販売機本体を備え、該自動販売機本体の下端に位置する鋼板製の底板部の四隅部に脚取付け部がそれぞれ設けられ、該脚取付け部に取付けられる脚部を介して設置面上に立設される自動販売機であって、前記底板部は、平面視で矩形状に形成される上底板と、前記上底板の下面側に結合される上底板補強用の下底板と、前記上底板の各端部のうちの少なくとも一端部に一体形成され、該一端部の延伸方向に延びると共に屈曲形成されてなる開断面構造を有する開断面構造部と、前記下底板の各端部のうちの前記閉断面構造部と隣接する少なくとも一端部に一体形成され、該一端部の延伸方向に延びると共に屈曲形成されてなる屈曲部と、を有し、前記開断面構造部の屈曲部と、該屈曲部に隣接する前記下底板の前記屈曲部とを結合させてなる閉断面構造部を含み、複数の前記脚取付け部のうちの少なくとも一部は、前記閉断面構造部に設けられている構成とした。
【発明の効果】
【０００９】
前記一側面による自動販売機によれば、自動販売機本体の底板部は上底板で構成されている。この上底板の各端部のうちの少なくとも一端部に、この一端部の延伸方向に延びると共に閉断面構造を有する閉断面構造部が一体形成されている。そして、この閉断面構造部に、複数の脚取付け部のうちの少なくとも一部が設けられている。
これにより、例えば、自動販売機本体を軽量化すべく底板部の上底板の板厚を従来よりも薄くしたとしても、この底板部の上底板の少なくとも一端部に連続して閉断面構造部が形成されるため、底板部の強度を従来と同程度に維持させることができる。そして、この閉断面構造部に設けられる脚取付け部において、脚部を介して設置面からの反力を確実に受けることができる。
【００１０】
また、前記別の側面による自動販売機によれば、自動販売機本体の底板部は上底板と上底板の下面側に結合される下底板とにより構成されている。この上底板の各端部のうちの少なくとも一端部に、この一端部の延伸方向に延びると共に屈曲形成されてなる開断面構造を有する開断面構造部が一体形成されている。また、底板部を構成する下底板の各端部のうちの前記閉断面構造部と隣接する少なくとも一端部に、この一端部の延伸方向に延びると共に屈曲形成されてなる屈曲部が一体形成されている。そして、上底板の開断面構造部の屈曲部とこの屈曲部に隣接する下底板の屈曲部とが結合されることにより、底板部に閉断面構造部が形成されている上、この閉断面構造部に、複数の脚取付け部のうちの少なくとも一部が設けられている。
これにより、例えば、自動販売機本体を軽量化すべく底板部の上底板や下底板の板厚を従来よりも薄くしたとしても、上底板の開断面構造部の屈曲部と下底板の屈曲部とが結合されることにより閉断面構造部が形成されるため、底板部の強度を従来と同程度に維持させることができる上、この閉断面構造部に設けられる脚取付け部において、脚部を介して設置面からの反力を確実に受けることができる。
【００１１】
このようにして、自動販売機本体の軽量化を図りつつ必要な剛性を確保することが可能な自動販売機を提供することができる。
【図面の簡単な説明】
【００１２】
【図１】本発明の第１実施形態における自動販売機の外扉が開いた状態を示す斜視図である。
【図２】図１に示す自動販売機本体の縦断面図である。
【図３】図１に示す底板部の上面図である。
【図４】図１に示す底板部の下面図である。
【図５】図３に示す底板部の長辺と平行な断面位置で示した断面図である。
【図６】図５の要部拡大断面図である。
【図７】図３に示す底板部の短辺と平行な断面位置で示した断面図である。
【図８】図７の要部拡大断面図である。
【図９】本発明の第２実施形態における自動販売機の底板部の下面図である。
【図１０】図９に示す底板部の長辺と平行な断面位置で示した断面図である。
【図１１】図１０の要部拡大断面図である。
【図１２】図９に示す底板部の短辺と平行な断面位置を示した断面図である。
【図１３】図１２の要部拡大断面図である。
【図１４】本発明の第３実施形態における自動販売機の底板部の下面図である。
【図１５】図１４に示す底板部の短辺と平行な断面位置で示した断面図である。
【図１６】図１５の要部拡大断面図である。
【発明を実施するための形態】
【００１３】
以下、添付図面を参照して本発明の実施形態について説明する。
図１は本発明の第１実施形態による自動販売機１００について、後述する外扉２が開いた状態を示す斜視図である。図２は後述する自動販売機本体１の縦断面図である。
この自動販売機１００は、缶入り飲料やペットボトル入り飲料などの容器入り飲料を商品として販売するものであり、前面を開口した自動販売機本体１と、外扉２とを備えている。
なお、以下では、自動販売機１００について、前後・左右・上下を、図１に示すように便宜上規定して、説明する。また、左右については、自動販売機の前面側から視て左側を左、右側を右と各図に示す。
【００１４】
前記自動販売機本体１は、その前面が開口形成されると共に、販売商品（以下、単に商品という）を収納するための概略直方状の鋼板製筐体（箱体）として形成されている。この自動販売機本体１は、鋼板製の複数の部材が適宜に組み合わされることにより構成されている。この鋼板製の部材については、後に説明する。
【００１５】
自動販売機本体１は、詳しくは、図２に示すように、その内部が上下に仕切られており、商品を収納する商品収納ラック３を設置するための収納室１ａが上側に設けられ、収納室（商品収納ラック３）１ａ内の温度を調整するための温度調整（冷却・加熱）ユニット４を設置するための機械室１ｂが下側に設けられている。また、収納室１ａの前面側には内扉５が取付けられ、この内扉５には商品払出し用の内扉側フラップ６が設けられている。そして、商品収納ラック３の下方には、商品シュータ（図示省略）も設けられている。
【００１６】
前記外扉２は、図１に示すように、自動販売機本体１の前面開口を開閉する扉であり、自動販売機本体１の左右方向一端側（図１では左側）に回動自在に取付けられている。外扉２の前面には、硬貨投入口、硬貨返却口、紙幣投入口等からなる金銭処理装置や、商品選択ボタン等が設けられている。外扉２の下部側には、内扉側フラップ６を押し開いて払出された商品を受け、商品購入者が商品を取出し可能に構成された商品受部２ａが設けられている。また、外扉２の下端部における右側部分には、外扉２が閉じた状態で、後述する底板部７上に設けられるローラ受部１５に当接するローラ２ｂが設けられている。
【００１７】
前記商品収納ラック３は、同種類の複数の商品を収納する複数の商品収納コラム３ａを備えている。各商品収納コラム３ａは、収納室１ａ内に配置されており、機械室１ｂ内の温度調整ユニット４によって商品の冷却又は加温を行えるように構成されている。また、各商品収納コラム３ａの下端部には、収納している商品を一つずつ搬出するための商品搬出機（図示省略）が設けられている。
【００１８】
前記温度調整ユニット４は、空気を冷却又は加熱し、その冷気流又は暖気流をファン等により収納室１ａ内へ送風すると共に循環させて、商品を冷却又は加熱する。
外扉２の前面側に設けられる商品選択ボタン（図示省略）の押下等による販売操作が行われると、選択された商品に対応する商品収納コラム３ａの最下部の商品は、商品搬出機により下方に落下され、その後、商品シュータの斜面に沿って転動し、内扉５に設けられた内扉側フラップ６を押し開いて、外扉２の商品受部２ａ内に払出される。
【００１９】
次に、筐体としての自動販売機本体１を構成する鋼板製の部材（７〜１２）について説明する。
自動販売機本体１は、その下端に位置する底板部７と、この底板部７の左右方向の両端部上にて互いに対面するように配置される一対の側板部８，８と、一対の側板部８，８の後端側にて該一対の側板部８，８間を接続する背板部９と、一対の側板部８，８及び背板部９の上端側に接続される天板部１０と、一対の側板部８，８間に接続され自動販売機本体１内を収納室１ａと機械室１ｂとに仕切る仕切り板部１１と、底板部７と仕切り板部１１との間を接続する機械室補強板１２（図２参照）とを有している。これら各部材（７〜１２）は、それぞれ鋼板製の薄板に板金加工等を施すことにより適宜の形状に形成されている。詳しくは、各部材（７〜１２）は一般的なパネルベンダー等を用いて形成される。
【００２０】
ところで、底板部７には、外扉２、各機器（３，４等）及び底板部７以外の各部材（８〜１２等）の荷重が負荷されるため、底板部７には高い強度が求められている。
以下では、この底板部７について、図２〜図８を参照して詳述する。
【００２１】
図３は図２に示す底板部７の上面図であり、図４は図２に示す底板部７の下面図である。また、図５は図３に示すＡ−Ａ矢視の断面図であり、図６は図５に示すＡ１部を拡大した要部拡大断面図であり、図７は図３に示すＢ−Ｂ矢視の断面図であり、図８は図７に示すＢ１部を拡大した要部拡大断面図である。なお、図６では底板部７の左側端部（左側短辺部）の拡大断面図を示したが、底板部７の右側端部（右側短辺部）の断面構造は左側端部と左右方向に対称な構造を有している。また、図８では底板部７の前側端部（前側長辺部）の拡大断面図を示したが、底板部７の後側端部（後側長辺部）の断面構造は前側端部と前後方向に対称な構造を有している。
底板部７は、図２に示すように、鋼板製の薄板に板金加工等を施して形成されるものであり、自動販売機本体１の下端に位置するベースとなるものである。底板部７は、図３及び図４に示すように上下方向から視た平面視で矩形状に形成されており、その四隅部に脚取付け部１３がそれぞれ設けられている。この脚取付け部１３には、図１及び図２に示すように、脚部１４が取付けられる。この脚取付け部１３及び脚部１４の詳細については後に説明する。
このようにして、自動販売機本体１の下端に位置する鋼板製の底板部７の四隅部に脚取付け部１３がそれぞれ設けられ、この脚取付け部１３に取付けられる脚部１４を介して設置面Ｓ（図２参照）上に立設される自動販売機１００が構成されている。
【００２２】
また、底板部７の前側端部（つまり、自動販売機本体１の前面開口を閉じた状態の外扉２が位置する方の端部）における右側部分には、外扉２のローラ２ｂ（図１参照）と当接するローラ受部１５（図１参照）が設けられている。そして、底板部７の前側端部における左端には、外扉２を回転自在に支持する支持部（図示省略）が設けられている。したがって、外扉２の荷重は、ローラ受部１５と上記支持部を介して底板部７に作用する。
【００２３】
本実施形態においては、底板部７は、図２に示すように、上底板１６と下底板１７とを備えて構成されている場合を一例に挙げて、以下説明する。上底板１６及び下底板１７は、それぞれ鋼板製の薄板に板金加工等を施して形成されるものである。
【００２４】
前記上底板１６は、機械室１ｂに面し、上下方向から視た平面視で矩形状に形成されている。この上底板１６上に、温度調整ユニット４が載置される。
【００２５】
本実施形態においては、上底板１６は、詳しくは、その左右方向に延びる辺が長辺となり、前後方向に延びる辺が短辺となる平面視で矩形状に形成されている。また、上底板１６の各端部（各縁部）は、それぞれ、パネルベンダー等により屈曲形成されている。つまり、上底板１６は、適宜形状に切断された一枚の薄板鋼板の各辺をパネルベンダー等により適宜屈曲させて形成され、その周縁部の強度を高めた構造体である。
【００２６】
具体的には、上底板１６は、図４〜図８に示すように、機械室１ｂに面する上面部１６ａと、上面部１６ａの各端部からそれぞれ下方に向かって延びる外側鉛直延部１６ｂと、各外側鉛直延部１６ｂの下端から上面部１６ａと平行で且つ内側に向かってそれぞれ延びる水平延部１６ｃと、上底板１６の左側端部と右側端部に位置する水平延部１６ｃの延伸端から上方に向かってそれぞれ僅かに延びる内側第１鉛直延部１６ｄ（図６参照）と、上底板１６の前側端部と後側端部に位置する水平延部１６ｃの延伸端から上方に向かってそれぞれ上面部１６ａまで延びる内側第２鉛直延部１６ｅ（図８参照）と、内側第２鉛直延部１６ｅの上端から上面部１６ａの下面に沿って内側に向かってそれぞれ延びるフランジ部１６ｆ（図８参照）と、を有して形成されている。
【００２７】
また、本実施形態において、上底板１６は、図８に示すように、その四隅部に上下方向に貫通する貫通孔部１６ｇを有している。具体的には、この貫通孔部１６ｇは、上底板１６の前側端部と後側端部のそれぞれにおいて、上面部１６ａ及び水平延部１６ｃを上下方向に貫通するように開口されている。上面部１６ａの貫通孔部１６ｇには、脚取付け部１３の後述する縮径部１３ｂが嵌合され、水平延部１６ｃの貫通孔部１６ｇには、脚取付け部１３の後述する胴部１３ａが嵌合される。
なお、上底板１６の右側端部及び左側端部は、短辺のうち前後方向の両端部を除く部分全体に亘って、図６に示す断面構造を有している。一方、上底板１６の前側端部及び後側端部は、長辺全体に亘って、図８に示す断面構造を有している。
【００２８】
ここで、上底板１６の左側端部と右側端部のそれぞれにおいて、内側第１鉛直延部１６ｄと上面部１６ａは、図６に示すように、互いに離間して結合されていない。したがって、上底板１６の左側端部と右側端部のそれぞれにおいて、上面部１６ａ、外側鉛直延部１６ｂ、水平延部１６ｃ、内側第１鉛直延部１６ｄにより、図６に示す開断面構造が構成されている。この開断面構造は、上底板１６の左側端部及び右側端部の延伸方向（つまり、前後方向）に延びている。
このようにして、本実施形態においては、上底板１６の左側端部と右側端部（つまり、上底板１６の左右方向に離間して対向する一対の端部）に上底板１６と連続して一体形成され、この左側端部及び右側端部の延伸方向に延びると共に屈曲形成されてなる開断面構造を有する開断面構造部Ｗが構成されている。
【００２９】
一方、上底板１６の前側端部と後側端部のそれぞれにおいて、フランジ部１６ｆは、上面部１６ａの下面に、例えば、スポット溶接により結合されている。したがって、上底板１６の前側端部と後側端部のそれぞれにおいて、上面部１６ａ、外側鉛直延部１６ｂ、水平延部１６ｃ、内側第２鉛直延部１６ｅ及びフランジ部１６ｆにより、図８に示す閉断面構造が構成されている。この閉断面構造は、上底板１６の前側端部及び後側端部の延伸方向（つまり、左右方向）に延びている。
このようにして、本実施形態においては、上底板１６の前側端部と後側端部（つまり、上底板１６の前後方向に離間して対向する一対の端部）に上底板１６と連続して一体形成され、この前側端部及び後側端部の延伸方向に延びると共に閉断面構造を有する閉断面構造部Ｚが構成されている。つまり、底板部７は、上底板１６を有すると共に、閉断面構造部Ｚを有し、この閉断面構造部Ｚは、上底板１６のみで構成されている。
本実施形態において、閉断面構造部Ｚは上底板１６の前側端部と後側端部に延設されている。つまり、閉断面構造部Ｚが一体形成される上底板１６の端部は、自動販売機本体１の前面開口を閉じた状態の外扉２が位置する一端部を含む。
【００３０】
前記下底板１７は、上底板１６の下面側に結合される上底板補強用の部材であり、上下方向から視た平面視で矩形状に形成されている。下底板１７は、図４、図６及び図８に示すように、その外縁が上底板１６の水平延部１６ｃの内縁に沿うように形成され、上底板１６の下方から上底板１６内に挿入可能に構成されている。
【００３１】
本実施形態において、下底板１７は、その前側端部と後側端部が屈曲形成されていると共に、長辺方向に延びる溝部を有して形成され、その長辺及び中央部の強度を高めた概略波板状の構造体である。この下底板１７が上底板１６に結合されることにより、上底板１６の中央部（温度調整ユニット４が載置される部分）の強度が主に補強される。下底板１７は、適宜大きさに切断された一枚の薄板鋼板の二辺をパネルベンダー等により適宜屈曲させると共に、パネルベンダー等により薄板鋼板に上記溝部を形成することにより形成される。
【００３２】
具体的には、下底板１７は、図４〜図８に示すように、平面部１７ａと、平面部１７ａの前側端部と後側端部からそれぞれ上方（上底板側）に向かって延びる鉛直延部１７ｂと、平面部１７ａから上方に向かって膨出されると共に長辺方向に延びる一対の溝部１７ｃと、を有して形成されている。例えば、各溝部１７ｃが上面部１６ａの下面にスポット溶接により結合され、平面部１７ａから鉛直延部１７ｂへの屈曲部と、この屈曲部に隣接する水平延部１６ｃから内側第２鉛直延部１６ｅへの屈曲部とが電気溶接により結合され、平面部１７ａの左側端部及び右側端部と、内側第１鉛直延部１６ｄとが電気溶接により結合されている。これにより、下底板１７が上底板１６の下面側に結合されている。
【００３３】
次に、脚取付け部１３と脚部１４について、図２〜図８を参照して説明する。
脚取付け部１３は、脚部１４を底板部７に取付けるための脚ナットであり、底板部７の四隅部にそれぞれ固定されている。脚取付け部１３は、具体的には、図８に示すように、概略円柱状に形成される胴部１３ａと、胴部１３ａの一端側が縮径されてなる縮径部１３ｂと、胴部１３ａの他端側か拡径されてなる鍔部１３ｃと、胴部１３ａを貫通するネジ孔部１３ｄと、を有して形成されている。この脚取付け部１３は、底板部７の四隅部に形成された貫通孔部１６ｇに下方から挿通されている。この状態で、縮径部１３ｂは、上面部１６ａ側の貫通孔部１６ｇに挿入され、その先端部が上面部１６ａの上面から上方に突出している。この縮径部１３ｂの先端部は、例えば、電気溶接により上面部１６ａに結合される。そして、鍔部１３ｃは、水平延部１６ｃの下面に当接し、例えば、電気溶接により水平延部１６ｃに結合される。
ここで、本実施形態において、四個の脚取付け部１３は、それぞれ、閉断面構造部Ｚに設けられている。具体的には、前側の二つの脚取付け部１３は底板部７の前側端部の閉断面構造部Ｚの左右方向両端部にそれぞれ結合され、後側の二つの脚取付け部１３は底板部７の後側端部の閉断面構造部Ｚの左右方向両端部にそれぞれ結合されている。
【００３４】
脚部１４は、図２に示すように、脚取付け部１３のネジ孔部１３ｄに螺合するボルト部１４ａと、ボルト部１４ａの一端側に設けられる円盤状の支持部１４ｂとを有している。各脚部１４のボルト部１４ａのネジ孔部１３ｄへのネジ込量をそれぞれ調整することにより、自動販売機本体１の設置高さや水平レベルを調整可能に構成されている。
【００３５】
かかる本実施形態による自動販売機１００によれば、自動販売機本体１の底板部７は上底板１６と下底板１７とを備えて構成されている。この上底板１６の各端部（前側端部、後側端部、左側端部及び右側端部）のうち、前後方向に離間して対向する一対の端部に、この一対の端部の延伸方向に延びると共に閉断面構造を有する閉断面構造部Ｚがこの上底板１６と一体形成されている。そして、この閉断面構造部Ｚに、脚取付け部１３がそれぞれ設けられている。
これにより、例えば、自動販売機本体１を軽量化すべく底板部７の上底板１６の板厚や下底板１７の板厚を従来よりも薄くしたとしても、この上底板１６の上記一対の端部に連続して閉断面構造部Ｚが一体形成されているため、底板部７の強度を従来と同程度に維持させることができる。そして、この閉断面構造部Ｚに設けられる脚取付け部１３において、脚部１４を介して設置面Ｓからの反力を確実に受けることができる。
このようにして、自動販売機本体１の軽量化を図りつつ必要な剛性を確保することが可能な自動販売機１００を提供することができる。なお、底板部７を軽量化しなくてもよい場合には、底板部７の重量を従来と同程度に維持しつつ、底板部７の強度を従来よりも高くすることができる。
【００３６】
また、本実施形態においては、閉断面構造部Ｚは上底板１６のみで構成されている。これにより、閉断面構造部Ｚを容易に形成することができる。
【００３７】
また、本実施形態において、閉断面構造部Ｚが一体形成される上底板１６の各端部（一対の端部）は、前面開口を閉じた状態の外扉２が位置する一端部を含む構成である。これにより、外扉２が位置する一端部を補強する必要がある場合において、好適な底板部７を構成することができる。
【００３８】
また、本実施形態において、上底板１６はその四隅部に貫通孔部１６ｇを有し、脚取付け部１３は貫通孔部１６ｇに下方から挿通可能に構成されている。これにより、脚取付け部１３を貫通孔部１６ｇに一方向から容易に挿入させて、上底板１６に適宜結合させることができる。
【００３９】
また、本実施形態において、底板部７は、上底板１６の下面側に結合される下底板１７を備えている。これにより、上底板と下底板とで構成されるタイプの底板部７を採用する場合において、その基本構成を変えることなく、底板部７の軽量化を図ることができる。
【００４０】
また、本実施形態においては、閉断面構造部Ｚを上底板１６の前側端部と後側端部にそれぞれ設ける構成とした。したがって、本実施形態の自動販売機１００は、底板部７の特に前側端部と後側端部を補強する必要がある場合において好適である。
なお、自動販売機本体１は、底板部７を含む各部材（７〜１２）によって構成されており、その左右、前後及び上下方向の寸法、内部に収容される各種機器（２，３等）の重量、各種機器の配置位置、及び、用いる各部材（７〜１２）の板厚は、機種や仕様等によって異なる場合がある。そのため、底板部７に作用する応力は、自動販売機１００の機種毎に異なり、その結果、底板部７の補強箇所も機種毎に異なる場合がある。したがって、閉断面構造部Ｚは、前側端部と後側端部に限らず、以下に説明する第２実施形態のように、左側端部と右側端部に設けてもよい。また、閉断面構造部Ｚは、対向する一対の端部に限らず、上底板１６の各端部のうちの少なくとも一端部に設ければよい。この場合は、脚取付け部１３のうちの少なくとも一部が、閉断面構造部Ｚに設けられていればよい。
【００４１】
図９は、本発明の第２実施形態における自動販売機１００の底板部７の下面図である。図１０は、第２実施形態において図３に示すＣ−Ｃ矢視断面位置で示した底板部７の断面図であり、図１１は図１０に示すＣ１部を拡大した要部拡大断面図である。また、図１２は第２実施形態において図３に示すＤ−Ｄ矢視断面位置で示した底板部７の断面図であり、図１３は図１２に示すＤ１部を拡大した要部拡大断面図である。
なお、第１実施形態と同一の要素には同一の符号を付して説明を省略し、異なる部分についてのみ説明する。
【００４２】
図９に示すように、第２実施形態においては、閉断面構造部Ｚが上底板１６の左側端部と右側端部とにそれぞれ設けられ、開断面構造部Ｗが上底板１６の前側端部と後側端部とにそれぞれ設けられている。つまり、閉断面構造部Ｚが一体形成される上底板１６の端部は、自動販売機本体１の前面開口を閉じた状態の外扉２が位置する一端部と直交する一端部を含む。
【００４３】
具体的には、上底板１６は、図１０〜図１３に示すように、上面部１６ａと、外側鉛直延部１６ｂと、水平延部１６ｃと、上底板１６の左側端部と右側端部に位置する水平延部１６ｃの延伸端から上方に向かってそれぞれ上面部１６ａまで延びる内側第１鉛直延部１６ｄ’（図１１参照）と、上底板１６の前側端部と後側端部に位置する水平延部１６ｃの延伸端からそれぞれ上方に向かって上面部１６ａの近傍まで延びる内側第２鉛直延部１６ｅ’（図１３参照）と、内側第１鉛直延部１６ｄ’の上端から上面部１６ａの下面に沿って内側に向かってそれぞれ延びるフランジ部１６ｆ’（図１１参照）と、を有して形成されている。
【００４４】
また、第２実施形態において、貫通孔部１６ｇは、上底板１６の左側端部と右側端部のそれぞれに開口されている。
なお、上底板１６の右側端部と左側端部は互いに左右対称の構造を有し、上底板１６の前側端部と後側端部は互いに前後対称の構造を有している。上底板１６の右側端部及び左側端部は、短辺全体に亘って、図１１に示す断面構造を有している。一方、上底板１６の前側端部及び後側端部は、長辺のうち左右方向の両端部を除く部分全体に亘って、図１３に示す断面構造を有している。
【００４５】
ここで、上底板１６の左側端部と右側端部のそれぞれにおいて、フランジ部１６ｆ’は、上面部１６ａの下面に、例えば、スポット溶接により結合されている。したがって、上底板１６の左側端部と右側端部のそれぞれにおいて、上面部１６ａ、外側鉛直延部１６ｂ、水平延部１６ｃ、内側第１鉛直延部１６ｄ’及びフランジ部１６ｆ’により、図１１に示す閉断面構造が構成されている。この閉断面構造は、上底板１６の左側端部及び右側端部の延伸方向（つまり、前後方向）に延びている。
このようにして、第２実施形態においては、上底板１６の左側端部と右側端部に閉断面構造部Ｚが構成されている。
【００４６】
一方、上底板１６の前側端部と後側端部のそれぞれにおいて、内側第２鉛直延部１６ｅ’と上面部１６ａは、互いに離間して結合されていない。したがって、上底板１６の前側端部と後側端部のそれぞれにおいて、上面部１６ａ、外側鉛直延部１６ｂ、水平延部１６ｃ、内側第２鉛直延部１６ｅ’により、図１３に示す開断面構造が構成されている。この開断面構造は、上底板１６の前側端部及び後側端部の延伸方向（つまり、左右方向）に延びている。
このようにして、第２実施形態においては、上底板１６の前側端部と後側端部に、開断面構造部Ｗが構成されている。第２実施形態による自動販売機１００は、底板部７の特に左側端部と右側端部を補強する必要がある場合において好適である。第２実施形態における下底板１７の鉛直延部１７ｂ’（図１１及び図１３参照）は第１実施形態の鉛直延部１７ｂ（図８参照）より短く形成されているが、これに限らず、鉛直延部１７ｂと同程度の長さで形成してもよい。
【００４７】
ところで、上記第１実施形態及び第２実施形態では、閉断面構造部Ｚは、上底板１６のみで構成され、この閉断面構造部Ｚは適宜形状に切断された一枚の薄板鋼板の対応する端部（辺）をパネルベンダー等により適宜屈曲させて形成されている。この閉断面構造部Ｚの高さ（図８及び図１１において上下方向の長さ）と横幅（図８においては前後方向の長さ、図１１においては左右方向の長さ）の寸法について着目した場合、同じ板厚及び高さの場合、横幅が大きい（長い）ほど、閉断面構造部Ｚはその延伸方向における曲げ（せん断）力に対してより強くなる。しかしながら、横幅が長い、つまり、水平延部１６ｃが長くなると、水平延部１６ｃのうちの脚取付け部１３周囲の部分が変形し易くなる。また、水平延部１６ｃを長くした状態で、フランジ部１６ｆ、１６ｆ’にてスポット溶接すると水平延部１６ｃが下方に膨らんだ太鼓状になる可能性がある。この場合、上面部１６ａと水平延部１６ｃとが互いに平行でなくなり、脚取付け部１３が水平延部１６ｃのみに溶接されて、その縮径部１３ｂが上面部１６ａの貫通孔部１６ｇから外れてしまうおそれもある。したがって、水平延部１６ｃの変形が無視でき、且つ、脚取付け部１３の確実な固定が確保可能な範囲で、閉断面構造部Ｚの延伸方向における曲げ（せん断）力に対する強度向上を図る必要がある。
ここで、一般的なパネルベンダー等では、パネルを押圧するいわゆるヤゲン（薬研）の構造上の制約から、屈曲加工を施す部分のサイズ（寸法）に制限がある。具体的には、一般的なパネルベンダー等においては、例えば、図８に示す閉断面構造部Ｚを構成する部分の上底板１６の前後方向のフランジ部１６ｆを含んだ幅（つまり、スポット溶接代を含んだ閉断面構造部Ｚの横幅）や、図１１に示す閉断面構造部Ｚを構成する部分の上底板１６の左右方向のフランジ部１６ｆ’を含んだ幅（閉断面構造部Ｚの横幅）は、最大で、約８０ｍｍに制限される。つまり、水平延部１６ｃの長さの最大値も制限される。例えば、図８や図１１に示す閉断面構造部Ｚを構成する上底板１６の上下方向の高さ（外側鉛直延部１６ｂの部分の長さ）として３５ｍｍを採用し、スポット溶接代（フランジ部１６ｆ，１６ｆ’の長さ）として約１５ｍｍを採用した場合、閉断面構造部Ｚの実質的な閉断面部分の横幅（水平延部１６ｃの長さ）は、上記約８０ｍｍからスポット溶接代を差し引いた寸法、つまり、約６５ｍｍとなる。このように、例えば、閉断面構造部Ｚの高さとして３５ｍｍを採用すると共に、パネルベンダーのヤゲンの制約寸法の最大値を採用して、閉断面構造部Ｚの横幅を約６５ｍｍに設定した場合、上記水平延部１６ｃの変形は抑制され、且つ、脚取付け部１３を上底板１６に確実に溶接可能であることを確認した。つまり、閉断面構造部Ｚの延伸方向における曲げ（せん断）力に対する強度を、ヤゲンの制約寸法の最大値の範囲で高めると共に、水平延部１６ｃの変形を無視できる程度まで抑制でき、且つ、脚取付け部１３を確実に固定することができた。また、閉断面構造部Ｚの高さとして３５ｍｍに限らず、例えば、約３０ｍｍ〜約４５ｍｍの適宜寸法を採用した場合や、スポット溶接代として１５ｍｍに限らず、例えば、約５ｍｍ〜２０ｍｍ程度の適宜寸法を採用した場合であっても、上記と同様の効果が得られた。
したがって、閉断面構造部Ｚの実質的な閉断面部分の横幅（水平延部１６ｃ）と高さ（外側鉛直延部１６ｂ）の寸法比は、約２：１であるとよく、望ましくは、６５：３０（つまり、１３：６）〜６５：４５（つまり、１３：９）、より望ましくは、６５：３５（つまり、１３：７）〜６５：４０（つまり、１３：８）であるとよい。
【００４８】
図１４は、本発明の第３実施形態における自動販売機１００の底板部７の下面図である。図１５は第３実施形態において図３に示すＢ−Ｂ矢視断面位置で示した底板部７の断面図であり、図１６は図１５に示すＢ２部を拡大した要部拡大断面図である。
なお、第３実施形態において、図３に示すＡ−Ａ矢視断面位置での底板部７の断面構造は、図５及び図６で示した第１実施形態の断面構造と同じである。以下では、主に、図３に示すＢ−Ｂ矢視断面位置での断面構造について説明する。第１実施形態と同一の要素には同一の符号を付して説明を省略し、異なる部分についてのみ説明する。
【００４９】
第３実施形態において、上底板１６は、図５、図６及び図１４〜図１６に示すように、上面部１６ａと、外側鉛直延部１６ｂと、水平延部１６ｃと、内側第１鉛直延部１６ｄ（図６及び図１６参照）と、上底板１６の前側端部と後側端部に位置する水平延部１６ｃの延伸端からそれぞれ上方に向かって僅かに延びる内側第２鉛直延部１６ｅ”（図１６参照）と、を有して形成されている。
【００５０】
ここで、上底板１６の各端部において、内側第１鉛直延部１６ｄ及び内側第２鉛直延部１６ｅ”と、上面部１６ａとは、互いに離間して結合されていない。したがって、上底板１６の各端部において、上面部１６ａ、外側鉛直延部１６ｂ、水平延部１６ｃ、内側第１鉛直延部１６ｄ又は内側第２鉛直延部１６ｅ”により、図６及び図１６に示す開断面構造が構成されている。
このようにして、第３実施形態においては、上底板１６の各端部に、開断面構造部Ｗが構成されている。
【００５１】
図１４に示すように、第３実施形態においては、下底板１７は、前後方向に分割（図では３分割）されている。この分割位置は、第１実施形態の溝部１７ｃの位置に対応している。詳しくは、下底板１７は、前側下底板１７１と中央下底板１７２と後側下底板１７３とを有する。各分割底板（１７１，１７２，１７３）はそれぞれ概略Ｕ字状断面を有し、左右方向に延伸している。より具体的には、各分割底板（１７１，１７２，１７３）は、平面部１７ａと、この平面部１７ａの前側端部と後側端部からそれぞれ上方に向かって上面部１６ａまで延びると共に互いに対向する一対の鉛直延部１７ｂ”，１７ｂ”と、各鉛直延部１７ｂ”の上端から上面部１６ａの下面に沿って内側（つまり、対向する鉛直延部１７ｂ”側）に向かってそれぞれ延びるフランジ部１７ｄ（図１５及び図１６参照）と、を有して形成されている。
【００５２】
また、各分割底板（１７１，１７２，１７３）の平面部１７ａには、図１４に示すように、前後の縁部に沿って間隔を空けた複数の位置に、スポット溶接用の電極等を挿入するための溶接孔１７４が開口されている。この溶接孔１７４を利用して各分割底板（１７１，１７２，１７３）のフランジ部１７ｄが上面部１６ａにスポット溶接により結合され、各分割底板（１７１，１７２，１７３）の隣接部分が下方から電気溶接により結合されている。また、前側下底板１７１と後側下底板１７３については、水平延部１６ｃから内側第２鉛直延部１６ｅ”への屈曲部（つまり、開断面構造部Ｗの屈曲部）と、この屈曲部に隣接する平面部１７ａから鉛直延部１７ｂ”への屈曲部とがそれぞれ電気溶接により結合されている。そして、平面部１７ａの左側端部及び右側端部と、内側第１鉛直延部１６ｄとが電気溶接により結合されている。
したがって、上底板１６及び下底板１７の前側端部と後側端部のそれぞれにおいて、上面部１６ａ、外側鉛直延部１６ｂ、水平延部１６ｃ、内側第２鉛直延部１６ｅ”、鉛直延部１７ｂ”及びフランジ部１７ｄにより、図１６に示す閉断面構造が構成されている。この閉断面構造は、上底板１６の前側端部及び後側端部の延伸方向（つまり、左右方向）に延びている。
このようにして、第３実施形態においては、上底板１６の前側端部と後側端部に上底板１６と連続して一体形成され、この前側端部及び後側端部の延伸方向に延びると共に屈曲形成されてなる開断面構造を有する開断面構造部Ｗが構成されている。また、下底板１７の前側端部及び後側端部（つまり、上底板１６の開断面構造部Ｗと隣接する端部）に下底板１７と連続して一体形成され、この前側端部及び後側端部の延伸方向に延びると共に屈曲形成されてなる屈曲部が形成されている。そして、閉断面構造部Ｚは、上底板１６の前側端部と後側端部において、開断面構造部Ｗの屈曲部（屈曲稜線部）と、この屈曲部と隣接する下底板１７の屈曲部（屈曲稜線部）とを結合させることにより形成されている。つまり、閉断面構造部Ｚは、上底板１６と下底板１７とで構成されている。
【００５３】
第３実施形態による自動販売機１００によれば、二つの部材（上底板１６と下底板１７）により閉断面構造部Ｚを形成することができるため、上底板１６の端部の形状選択の自由度を広げることができ、要求される強度に応じて、様々なバリエーションの上底板１６及び下底板１７を用いることができる。また、上底板１６と下底板１７の互いに隣接する屈曲部同士を結合して、閉断面構造部Ｚを形成するため、より強固な閉断面構造部Ｚを形成することができる。
【００５４】
また、第３実施形態においては、下底板１７を第１実施形態の溝部１７ｃに対応した位置で分割して形成し、前側下底板１７１と中央下底板１７２の隣接部分に位置する二つの鉛直延部１７ｂ”と、中央下底板１７２と後側下底板１７３の隣接部分に位置する二つの鉛直延部１７ｂ”により、上底板１６の中央部分の強度を補強することができる。また、各分割底板（１７１，１７２，１７３）は、同一板厚を採用してもよいし、要求される補強箇所の位置に応じて、板厚を異ならせてもよい。また、下底板１７は分割せず、第１及び第２実施形態のように一体形成してもよい。下底板１７は適宜の形状を採用することができる。
【００５５】
なお、第３実施形態において、上底板１６及び下底板１７による閉断面構造部Ｚは、前側端部と後側端部に限らず、第２実施形態のように、左側端部と右側端部に設けてもよい。また、上底板１６及び下底板１７による閉断面構造部Ｚは、対向する一対の端部に限らず、上底板１６の各端部のうちの少なくとも一端部に設ければよい。この場合は、脚取付け部１３のうちの少なくとも一部が、閉断面構造部Ｚに設けられていればよい。
【００５６】
また、各実施形態において、底板部７は、その左右方向に延びる辺が長辺となり、前後方向に延びる辺が短辺となる場合を一例に挙げて説明したが、これに限らず、左右方向に延びる辺が短辺となり、前後方向に延びる辺が長辺となってもよいし、各辺が全て同じ長さとなってもよい。また、外扉２を底板部７の前側端部側に設けるものとしたが、外扉２の取付け位置はいずれの端部側でもよく、また、外扉２は設けなくてもよい。また、第１及び第２実施形態のように、閉断面構造部Ｚを上底板１６のみで構成する場合に、底板部７に対して要求される強度を上底板１６のみで確保可能であれば、底板部７は上底板１６のみで構成してもよい。
自動販売機１００の底板部７としては、上底板１６と、上底板１６の各端部のうちの少なくとも一端部に一体形成され、該一端部の延伸方向に延びると共に閉断面構造を有する閉断面構造部Ｚと、を有して構成されるものや、上底板１６と、下底板１７と、上底板１６の各端部のうちの少なくとも一端部に一体形成され、該一端部の延伸方向に延びると共に屈曲形成されてなる開断面構造を有する開断面構造部Ｗと、下底板１７の各端部のうちの前記開断面構造部Ｗと隣接する少なくとも一端部に一体形成され、該一端部の延伸方向に延びると共に屈曲形成されてなる屈曲部と、を有し、上底板１６の開断面構造部Ｗの屈曲部と、該屈曲部に隣接する下底板１７の屈曲部とを結合させてなる閉断面構造部Ｚを含んで構成されるものを採用すればよい。
【００５７】
また、上述の各実施形態において、自動販売機１００は、容器入り飲料を商品として販売するものであるとした場合を一例に挙げて説明したが、販売商品はこれに限らず、適宜の商品を販売することができる。
また、自動販売機１００は、上述したように、硬貨投入口、硬貨返却口、紙幣投入口等からなる金銭処理装置を備え、自動販売機１００自体が販売商品の価格に応じた硬貨（１０円玉、５０円玉、１００円玉、５００円玉）又は紙幣（千円札等）が投入されたか否かを判定し、投入されたと判定した場合は、その商品の払出しをする（商品を販売する）と共に、返却硬貨がある場合は、硬貨を返却するように構成されている。この金銭処理装置は、電子マネーカードのカードリーダを備えてもよい。これにより、利用者は、硬貨や紙幣だけでなく、電子マネーを用いて商品を購入することができる。
さらに、自動販売機１００は、硬貨、紙幣、電子マネーではなく、例えば、販売を許可する商品の商品情報の情報が記録された商品引き換えカード又はレシート等を介して、商品を販売可能に構成してもよい。この場合、自動販売機１００は、金銭処理装置に替って、商品引き換えカード又はレシート等のリーダ部を備え、その商品引き換えカード又はレシート等から読み取った情報に基づいて、商品を販売可能に構成する。具体的には、利用者は、コンビニエンスストア等の店舗のカウンター等において、店員に購入したい商品についての購入意思を伝えると共にその商品の対価に対する決済を硬貨、紙幣、電子マネーカード等により行い、その決済後、店員から商品引き換えカード又はレシート等を受取る。この商品引き換えカード又はレシート等には、利用者が店員に伝えた商品の販売を許可する情報が記録されている。自動販売機１００は、リーダ部に投入（挿入）された商品引き換えカード又はレシート等の情報を読取り、読取った情報に基づいて商品を搬出して販売する。
【００５８】
以上、好ましい実施形態及びその変形例を参照して本発明の内容を具体的に説明したが、本発明の基本的技術思想及び教示に基づいて、当業者であれば、さらに、種々の変形態様を採り得ることは自明である。
【符号の説明】
【００５９】
１・・・・・自動販売機本体
２・・・・・外扉
７・・・・・底板部
１３・・・・脚取付け部
１４・・・・脚部
１６・・・・上底板
１６ｇ・・・貫通孔部
１７・・・・下底板
１００・・・自動販売機
Ｓ・・・・・設置面
Ｚ・・・・・閉断面構造部
Ｗ・・・・・開断面構造部
【図１】
2017091312.tif 000003
【図２】
2017091312.tif 000004
【図３】
2017091312.tif 000005
【図４】
2017091312.tif 000006
【図５】
2017091312.tif 000007
【図６】
2017091312.tif 000008
【図７】
2017091312.tif 000009
【図８】
2017091312.tif 000010
【図９】
2017091312.tif 000011
【図１０】
2017091312.tif 000012
【図１１】
2017091312.tif 000013
【図１２】
2017091312.tif 000014
【図１３】
2017091312.tif 000015
【図１４】
2017091312.tif 000016
【図１５】
2017091312.tif 000017
【図１６】
2017091312.tif 000018